(57)【要約】【課題】浴槽内の湯の余熱を効率的に風呂蓋に伝えることによって、風呂蓋を通じて放熱させ、風呂蓋上面に乾燥した空気を発生しやすい構造とし、浴槽を効率的に乾燥させること。【解決手段】風呂蓋を浴槽７の上縁部７ａに載置し、浴槽７の開口部７ｂを閉塞する蓋４の一部が、浴槽７に貯留した湯８に接触可能な構成とし、湯８の熱を蓋４の上面に伝導し、蓋４の上面より放熱可能とすることにより、浴槽７に貯留した湯８の余熱を浴室内に放熱し、浴室内の乾燥を促進することができる。【選択図】図１
2006034316.tif 000002
【特許請求の範囲】
【請求項１】
浴槽の上縁部に載置し、浴槽の開口部を閉塞する蓋の一部が、浴槽に貯留した湯に接触可能な構成とし、湯の熱を蓋の上面に伝導し、蓋の上面より放熱可能とする風呂蓋。
【請求項２】
蓋の下面に１個または複数個の凸部を設け、前記凸部が湯と接触する構成の請求項１に記載の風呂蓋。
【請求項３】
前記凸部が蓋の内部に収納可能な構成とする請求項２に記載の風呂蓋。
【請求項４】
前記凸部を蓋に収納した状態で、蓋の下面が平坦となる請求項３に記載の風呂蓋。
【請求項５】
前記凸部を蓋から着脱可能な構成とする請求項２に記載の風呂蓋。
【請求項６】
浴槽に貯留した湯を攪拌する攪拌手段を設け、攪拌した湯が蓋の下面に当着する構成の請求項１に記載の風呂蓋。
【発明の詳細な説明】
【技術分野】
【０００１】
本発明は浴槽に貯留した湯の余熱を利用して浴室を乾燥させる風呂蓋に関するものである。
【背景技術】
【０００２】
従来、この種の浴槽に貯留した湯の熱を利用する風呂蓋は、断熱材料と蓄熱材料からなる板状の蓋を、蓄熱材料を下にして浴槽の開口部に載置し、浴槽の熱を蓄熱材料に蓄熱した後、蓋を反転して蓄熱材料を上にした状態で浴室の洗い場上に敷き床暖房機能を備えた浴室マットとして使用している（例えば、特許文献１参照）。
【０００３】
図５は、前記公報に記載された従来の風呂蓋を示すものである。図５において、浴槽１の上面に載置した蓋２は上部が断熱材２ａで下部が蓄熱材２ｂの２層構造となっており、反転して洗い場上に敷き浴室マットとしても使用できる構成である。
【特許文献１】特開昭５９−５７６２３号公報
【発明の開示】
【発明が解決しようとする課題】
【０００４】
しかしながら、前記従来の構成では、蓄熱材料に蓄熱し床暖房機能として使用する熱は、本来浴槽内の湯として有効に使用される熱であり、床暖房を有効にするためには浴槽の湯に余分な熱エネルギーを供給する必要があり、トータルとして熱エネルギーを無駄にしているという課題を有していた。
【０００５】
本発明は、前記従来の課題を解決するもので、浴槽に貯留した入浴後の湯の余熱を風呂蓋を介して周囲に放熱することで、浴室全体、特に風呂蓋の周囲の壁表面及び天井表面を素早く乾燥させる風呂蓋を提供することを目的とする。
【課題を解決するための手段】
【０００６】
前記従来の課題を解決するために、本発明の風呂蓋は浴槽の上縁部に載置し、浴槽の開口部を閉塞する蓋の一部が、浴槽に貯留した湯に接触可能な構成とし、湯の熱を蓋の上面に伝導し、蓋の上面より放熱可能としたものである。
【０００７】
これによって、浴槽内の湯の熱を風呂蓋を介して浴室内に放熱することができ、浴室内を素早く乾燥させることができる。
【発明の効果】
【０００８】
本発明の風呂蓋は、浴槽に貯留した湯の余熱を浴室の乾燥に有効に活用することができる。
【発明を実施するための最良の形態】
【０００９】
第１の発明は浴槽の上縁部に載置し、浴槽の開口部を閉塞する蓋の一部が、浴槽に貯留した湯に接触可能な構成とし、湯の熱を蓋の上面に伝導し、蓋の上面より放熱可能とすることにより、浴槽の湯の熱を効率的に風呂蓋上面から放熱することとなり、また浴槽開口部を閉塞することにより蒸気の漏れもなく、風呂蓋上面に乾燥した空気を発生させ、浴室内部全体を素早くそして効率的に乾燥させることができる。
【００１０】
第２の発明は、特に、第１の発明の蓋の下面に１個または複数個の凸部を設け、前記凸部が湯と接触する構成とするとともに、上下反転することで蓋は浴槽の湯に接触しない構成となることで、浴槽の湯を放熱することと、断熱することの切替えができるようになり、浴槽の湯の保温効果と、放熱による浴室の乾燥効果との選択をすることができる。
【００１１】
第３の発明は、特に、第２の発明の凸部が蓋の内部に収納可能な構成とすることにより、収納時は凸部が浴槽の湯に接触しないため、浴槽の湯の熱を風呂蓋に伝えることを抑制することとなり、凸部の開成、収納を切り換えることにより、浴槽の湯の熱を放熱することと断熱することの切替えができるようになり、浴槽の湯の断熱効果と、放熱による浴室の乾燥効果との選択をすることができる。
【００１２】
第４の発明は、特に、第３の発明の凸部を蓋に収納した状態で、蓋の下面が平坦となる構成とすることで、収納時の風呂蓋の持ち運びが便利となり、また風呂蓋自身の収納性も高まるため、使い勝手が良くなる。
【００１３】
第５の発明は、特に、第２の発明の前記凸部を蓋から着脱可能な構成とすることにより、風呂蓋に湯に接触可能な構造部を付けた時は放熱効果をそして外した時には断熱効果を得ることができるため、湯に接触可能な構造部のみの持ち運びができる。また従来の風呂蓋に対して湯に接触可能な構造部を後付けすることもでき、浴槽の湯の熱を利用した放熱効果を得ることができる。
【００１４】
第６の発明は、特に、第１の発明の風呂蓋に浴槽に貯留した湯を攪拌する攪拌手段を設け、攪拌した湯が蓋の下面に当着する構成にすることにより、浴槽の湯を攪拌し飛ばすことで風呂蓋内側に攪拌した湯が接触することとなり、より効果的に浴槽の湯の熱を風呂蓋上面から放熱することができる。
【００１５】
以下、本発明の実施の形態について、図面を参照しながら説明する。なお、この実施の形態によって本発明が限定されるものではない。
【００１６】
（実施の形態１）
図１（ａ）は、本発明の第１の実施の形態における風呂蓋を浴槽に載置した放熱状態の断面図を示し、図１（ｂ）は風呂蓋を反転して浴槽に載置た断熱状態を示すものであり、図２は風呂蓋の斜視図を示すものである。
【００１７】
図１（ａ）および図２に示すように、蓋４は、発泡ウレタン等の空気層を含んだ断熱性のある樹脂でできた蓋本体５の下面に、アルミ等の熱伝導性の良い金属でできた板状の凸部６を固定した構造であり、浴槽７の上縁部７ａに載置し、開口部７ｂを閉塞した状態において浴槽７内の湯８に凸部６が接触する構成となっている。
【００１８】
以上のように構成された風呂蓋について、以下その動作、作用を説明する。
【００１９】
まず、浴槽７の湯８の熱が凸部６を介して蓋本体５に伝導し、蓋本体５が暖められ、蓋本体５の上面より浴室内に放熱し、浴室内を乾燥させることとなる。
【００２０】
以上のように、本実施の形態においては蓋本体５の上面より浴槽７の湯８の余熱を放熱することにより、浴室内部全体を素早くそして効果的に乾燥させることとなり、浴室内のカビの発生を妨げることができる。
【００２１】
また、図１（ｂ）に示すように、蓋４を上下逆向きに浴槽７に載置した場合は、断熱性のある蓋本体５が浴槽７の開口部７ｂを閉塞し、凸部６は湯から離隔するため、浴槽７の湯８の熱を放熱しにくく、保温効果がある。つまり入浴前や入浴休止中の保温性を必要とするときに適する。
【００２２】
なお、入浴後の余熱を利用して浴室の乾燥のみを目的とする風呂蓋とする場合には、蓋本体４の材質を凸部と同様の熱伝導性の良い金属製にすることで、さらに効率的に浴槽内の湯の熱を放熱しやすくなり、素早く乾燥した空気を発生させることができる。
【００２３】
なお凸部６の形状は棒状、波板状、箱型等さまざまな形状が考えられ、いずれも浴槽内の湯との接触面積が大きくなるような構造とする。また材質も熱伝導性がよければ金属、樹脂、木等とあらゆるものが考えられる。
【００２４】
なお蓋本体５と凸部６との固定部は着脱可能な構造、例えば、はめ込み式、ねじ込み式、磁石、マジックテープ（登録商標）等で接合してもよい。
【００２５】
その場合、凸部６の着脱により、装着時には浴槽７の湯８の熱を放熱し、外したときには浴槽７の湯８の熱を断熱して冷めにくくし、保温効果を持たせることもできる。
【００２６】
また、従来の風呂蓋に凸部を後付けすることも可能であり、汎用性が広がる。
【００２７】
なお、蓋本体５と浴槽７の上縁部７ａとの接触部は、密着性の良い材料、例えば発泡ゴムを貼りつけることで、蒸気の漏れを完全に遮断することができる。
【００２８】
（実施の形態２）
図３（ａ）は、本発明の第２の実施の形態における風呂蓋および浴槽の断面図を示すものである。
【００２９】
図３（ａ）において、、蓋９は、発泡ウレタン等の空気層を含んだ断熱性のある樹脂でできた蓋本体１０の下面に、アルミ等の熱伝導性の良い金属でできた板状の凸部１１をヒンジ等の回転支持部１２を介して回動自在に設置した構造であり、浴槽７の上縁部７ａに載置した状態において浴槽７内の湯８に凸部１１が接触する構成となっている。
【００３０】
なお、実施の形態１と同一符号のものは同一の構造を有し、説明は省略する。
【００３１】
以上のように構成された風呂蓋について、以下その動作、作用を説明する。
【００３２】
まず、浴槽７の湯８の熱が凸部１１を介して蓋本体１０に伝導し、蓋本体１１が暖められ、蓋本体１１の上面より浴室内に放熱し、浴室内を乾燥させることとなる。
【００３３】
以上のように、本実施の形態においては蓋本体１０の上面より浴槽７の湯８の余熱を放熱することにより、浴室内部全体を素早くそして効果的に乾燥させることとなり、浴室内のカビの発生を妨げることができる。
【００３４】
また図３（ｂ）に示すように、凸部１１は回転支持部１２を中心に回動し、蓋本体１０内に収納できる構造であり、浴槽７内の湯８に接触しない構成となる。そのため浴槽７の湯８の熱を放熱しにくく、保温効果がある。つまり入浴前の保温性を必要とするときに適する。
【００３５】
また、蓋本体１０内に収納後、平坦な形状となるため持ち運びに便利であり、蓋９の収納性も高まる。
【００３６】
なお収納時、凸部１１はマジックテープ（登録商標）からなる保持手段１３によって蓋本体１０内に収納保持され、自重による開放がない。なお保持手段１３は他にもキャッチ機構、吸盤機構、ラッチ機構、磁力機構、等が考えられる。
【００３７】
また、蓋本体１０の一部もしくは全体が透過性の樹脂またはガラスで作り、浴槽７に載置した状態で凸部１０の開閉状態が目視確認できることが望ましい。
【００３８】
また図３（ｃ）に示すように、蓋９を上下逆向きに浴槽７に載置した場合も同様に、浴槽７内の湯８に接触しない構成となり、浴槽７の湯８の熱を放熱しにくい。この場合は保持手段１３を必要としなく、構成が単純になり、部品点数が減り、商品コスト削減の効果がある。
【００３９】
なお回転支持部１２は屈曲性の高い樹脂材、もしくはラバー材料による蓋本体１０との一体成形の構造でも良い。その場合ヒンジ形状に比べて構造が単純になるため、汚れ、ゴミ、カビ等の付着が少なく、また清掃性に優れる。
【００４０】
（実施の形態３）
図４（ａ）は、本発明の第３の実施の形態における風呂蓋および浴槽の断面図を示すものである。
【００４１】
図４（ａ）に示すように、蓋１４は、発泡ウレタン等の空気層を含んだ断熱性のある樹脂でできた蓋本体１５の略中央下部に突出して、アルミ等の熱伝導性の良い金属もしくは熱伝導性の問わない樹脂でできたプロベラ状の攪拌手段１６を設置し、攪拌手段１６はモータと電池からなる駆動部１６ａにより回転するた構成であり、浴槽７の上に載置した状態において浴槽内の湯８に攪拌できる構成となっている。
【００４２】
また、図４（ｂ）に示すように攪拌手段１６は上下に可動可能な構成となており、攪拌手段を引き上げた場合には、浴槽７の湯８から引き出した状態で保持することができる構成となっている。
【００４３】
なお、実施の形態１と同一符号のものは同一の構造を有し、説明は省略する。
【００４４】
以上のように構成された風呂蓋について、以下その動作、作用を説明する。
【００４５】
まず、浴槽７の湯８は攪拌手段１６が回転することによって飛び散り、飛び散った湯が蓋本体１５に当着することにより、熱が蓋本体１５に伝導し、蓋本体１５が暖められ、蓋本体１５の上面より浴室内に放熱することができる。
【００４６】
以上のように、本実施の形態においては蓋１４の上面に放熱させることにより、浴室内部全体を素早くそして効果的に乾燥させることとなり、浴室内のカビの発生を妨げることができる。
【００４７】
また図４（ｂ）に示すように攪拌手段１６はを引き上げた状態では、浴槽７内の湯８に接触しない構成となり、湯の熱を放熱しにくく保温効果が高まる。
【００４８】
なお攪拌手段はエアーもしくは水を噴出す噴出機構でも良く、板を略上下、略回転に動作させる攪拌棒、板、歯車、水車等でも良く、とにかく浴槽内の湯を攪拌することで湯が飛散し、風呂蓋４に湯が接触する機構を有するものである。
【００４９】
なお攪拌手段を操作しない時は湯が攪拌、飛散しないため、蓋本体に浴槽内の湯の熱が伝わりにくく、保温効果が高まる。
【００５０】
また、攪拌手段は蓋本体と容易に着脱できる構成でもよく、取り外した場合においても同様に浴槽内の湯が蓋本体に接触しない構成となり、そのため浴槽の湯の熱を放熱せず保温効果が高まる。
【００５１】
なお、汎用性のある一般の風呂蓋に着脱手段を備えた攪拌手段を設置して使用しても良く、前記と同様の効果が得られる。
【産業上の利用可能性】
【００５２】
以上のように、本発明にかかる風呂蓋は、浴槽内の湯の余熱を有効に活用することが可能となるので、洗面空間、台所空間等、湯を使用する場所の乾燥や暖房の用途にも適用できる。
【図面の簡単な説明】
【００５３】
【図１】（ａ）本発明の実施の形態１における風呂蓋の放熱状態を示す断面図（ｂ）本発明の実施の形態１における風呂蓋の断熱状態を示す断面図
【図２】本発明の実施の形態１における風呂蓋の斜視図
【図３】（ａ）本発明の実施の形態２における風呂蓋の放熱状態を示す断面図（ｂ）本発明の実施の形態２における風呂蓋の断熱状態を示す断面図（ｃ）本発明の実施の形態２における風呂蓋の反転状態を示す断面図
【図４】（ａ）本発明の実施の形態３における風呂蓋の放熱状態を示す断面図（ｂ）本発明の実施の形態３における風呂蓋の断熱状態を示す断面図
【図５】従来の風呂蓋の断面図
【符号の説明】
【００５４】
４、９、１４  蓋
５、１１  凸部
７  浴槽
７ａ  上縁部
７ｂ  開口部
８  湯
１０  攪拌手段
【図１】
2006034316.tif 000003
【図２】
2006034316.tif 000004
【図３】
2006034316.tif 000005
【図４】
2006034316.tif 000006
【図５】
2006034316.tif 000007